【手続補正書】
【提出日】平成31年4月10日(2019.4.10)
【手続補正１】
【補正対象書類名】特許請求の範囲
【補正対象項目名】全文
【補正方法】変更
【補正の内容】
【特許請求の範囲】
【請求項１】
識別情報を変動表示可能であり、前記識別情報が特定態様で表示されることに基づいて、可変入球口が入球可能状態となる特定遊技を実行する遊技機であって、
前記識別情報の変動表示に対応する変動演出を実行する変動演出実行手段と、
所定の変更条件が成立すると、前記変動演出の態様を規定する演出モードの種類を変更可能な演出モード変更手段と、
を備え、
前記所定の変更条件の内容を遊技者が選択可能である
ことを特徴とする遊技機。
【手続補正２】
【補正対象書類名】明細書
【補正対象項目名】０００７
【補正方法】変更
【補正の内容】
【０００７】
上述した課題の少なくとも一部を解決するために、本発明の遊技機は次の構成を採用した。すなわち、
識別情報を変動表示可能であり、前記識別情報が特定態様で表示されることに基づいて、可変入球口が入球可能状態となる特定遊技を実行する遊技機であって、
前記識別情報の変動表示に対応する変動演出を実行する変動演出実行手段と、
所定の変更条件が成立すると、前記変動演出の態様を規定する演出モードの種類を変更可能な演出モード変更手段と、
を備え、
前記所定の変更条件の内容を遊技者が選択可能である
ことを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】０１９５
【補正方法】変更
【補正の内容】
【０１９５】
また、上述した実施例では、遊技ホールの島設備から供給される遊技球を払い出すことによって、遊技の結果としての利益（遊技価値）を遊技者に付与するパチンコ機１に本発明を適用した例を説明した。これに限らず、「遊技球の払い出し」とは異なる形態で遊技上の利益を付与するタイプの遊技機にも、本発明を適用することができる。例えば、各種入球口への遊技球の入球が発生することで、その入球に対応する利益の量（遊技価値の大きさ）を示すデータを記憶することによって、遊技上の利益（遊技価値）を遊技者に付与するタイプのパチンコ機にも本発明を適用することができ、この場合にも、上述した実施例と同様の効果を得ることができる。なお、遊技上の利益（遊技価値）をデータ化して遊技者に付与するタイプのパチンコ機としては、パチンコ機に内蔵された複数個の遊技球を循環させて使用する遊技機、具体的には、各種入球口あるいはアウト口を経て遊技盤の裏面に排出された遊技球を、再度、発射位置に戻して発射するように構成されたパチンコ機（いわゆる封入式遊技機）を例示できる。
また、上述した実施例のパチンコ機は、次のような遊技機として把握することもできる。すなわち、
＜把握例１＞
遊技球の検知に基づいて取得される取得情報を記憶する取得情報記憶手段と、
前記取得情報記憶手段に記憶されている取得情報に基づいて識別情報の変動表示を行う識別情報表示手段と、
前記識別情報が特定態様で表示されることに基づいて、可変入球口が入球可能状態となる特定遊技を実行する特定遊技実行手段と、
前記識別情報の変動表示に対応する変動演出を実行する変動演出実行手段と、
前記識別情報の変動表示の開始前に、前記取得情報記憶手段に記憶されている前記取得情報に基づいて事前演出を実行可能な事前演出実行手段と、
遊技者によって行われる入力を検知することに基づいて予約情報を記憶する予約情報記憶手段と、
前記予約情報記憶手段に記憶されている前記予約情報に基づいて、前記変動演出および前記事前演出の態様を規定する演出モードを変更可能な演出モード変更手段と、
を備え、
前記演出モード変更手段は、
前記事前演出の実行中に前記予約情報が前記予約情報記憶手段に記憶された場合は、当該事前演出の終了後に前記演出モードを変更する
ことを特徴とする。
このような遊技機では、遊技者の入力に基づいて、演出モードの変更を行うことができる。もっとも、事前演出の実行中に演出モードの変更が行われると、事前演出の態様（演出モード）と変動演出の態様（演出モード）との間に齟齬が生じてしまう。すなわち、一の演出モードの設定中に事前演出が開始されると、当然ながら、該事前演出は一の演出モードに対応する態様で行われるところ、該事前演出の実行中に演出モードの変更が行われて他の演出モードが設定されると、その後に開始される変動演出は他の演出モードに対応する態様で行われることとなる。この点、本発明は、事前演出の実行中は遊技者による入力が行われても演出モードの変更を行わず、該事前演出の終了後に演出モードの変更を行うこととしたので、上述の齟齬が生じることを防止しつつ、遊技者の入力に基づく演出モードの変更を行うことができる。
＜把握例２＞
また、こうした遊技機では、
前記演出モード変更手段は、
前記事前演出の実行中に前記予約情報が前記予約情報記憶手段に記憶された場合は、当該事前演出の終了後に前記変動演出が開始されるに際して、前記演出モードを変更するものであって、
当該変動演出が特定の変動演出である場合は、当該変動演出が開始されるに際しては前記演出モードを変更せず、当該変動演出の終了後に前記演出モードを変更する
こととしてもよい。
変動演出の途中で演出モードの変更が行われると、１回の変動演出が複数の演出モードに対応する態様で行われる虞があり、ひいては、変動演出の一貫性が損なわれる虞がある。この点、本発明は、変動演出が開始されるに際して演出モードを変更するので、変動演出の途中で演出モードの変更が行われることがなく、変動演出の一貫性を保つことが可能となる。もっとも、特定の変動演出が行われる場合に演出モードの変更が行われると、遊技者に違和感を与えたり、演出効果が低減したりする虞がある。この点、本発明は、特定の変動演出が開始されるに際しては演出モードを変更せず、当該変動演出の終了後に演出モードを変更する。このため、上述の虞を低減させつつ、遊技者の入力に基づく演出モードの変更を行うことができる。
＜把握例３＞
また、こうした遊技機では、
前記予約情報記憶手段は、前記変動演出が実行されている期間のうちの所定の期間中に前記入力を検知することに基づいて、前記予約情報を記憶する
こととしてもよい。
変動演出中は、常時同じように遊技者を該変動演出に注目させる必要はない。例えば、１回の変動演出が行われる期間のうち、所定の期間中はその他の期間中よりも変動演出に注目させる必要がない場合がある。この点、本発明は、このように変動演出に遊技者を注目させる必要性が比較的小さい所定の期間中に、演出モードの変更のための入力を行わせることができる。この結果、演出モードの変更のための入力を行うことが変動演出の認識の妨げとなってしまうことを抑制することができる。
＜把握例４＞
また、こうした遊技機では、
前記入力を行うことを遊技者に示唆する入力示唆情報を表示する
こととしてもよい。
このような遊技機では、演出モードの変更を行うために入力を行うことを遊技者に認識させることができる。
＜把握例５＞
また、こうした遊技機では、
前記予約情報記憶手段が前記予約情報を記憶していることを遊技者に示す予約記憶情報を表示する
こととしてもよい。
このような遊技機では、演出モードの変更が予約された状態であることを遊技者に認識させることができる。
＜把握例６＞
また、こうした遊技機では、
前記予約情報記憶手段は、前記入力の態様に対応する内容の前記予約情報を記憶するものであって、
前記演出モード変更手段が前記予約情報に基づいて前記演出モードを変更することによって、複数の前記演出モードのうち前記入力の態様に対応する種類の前記演出モードに変更される
こととしてもよい。
このような遊技機では、入力の態様に対応する演出モードへの変更が行われる。このため、遊技者は入力の態様を選ぶだけで、所望する演出モードへの変更を行うことができ、遊技者の利便性を向上させることが可能となる。
＜把握例７＞
また、こうした遊技機では、
前記予約情報記憶手段が記憶している前記予約情報の内容を遊技者に示す予約内容情報を表示する
こととしてもよい。
このような遊技機では、演出モードの変更が予約された状態であること、および、変更先として予約された演出モードの種類を、遊技者に認識させることができる。